(57)【要約】【課題】  より簡易な構成で効率よくかつ簡便にボトルを切断するボトル切断装置を提供しようとする。【解決手段】  従来のボトルを切断するボトル切断装置にかわって、ボトルを切断可能な鋭利な刃先を持った刃物を有する切断機構と、ボトルを前記刃先に向かって押すことのできる第一押し面を持つ第一押し部材と、ボトルを前記第一押し面に向かって押すことのできる第二押し面を持つ第二押し部材と、前記第一押し面と前記第二押し面とを間にボトルを収納可能な収納空間を挟んで対面させて前記第一押し部材と前記第二押し部材とを相対的に移動自在に支持する支持機構と、前記第一押し面を前記刃先に接近させるときに前記刃先を前記収納空間に突き出させ前記第一押し面を前記刃先から離間させるときに前記刃先を収納空間から引き込ませる様に前記切断機構と前記第一押し部材と前記第二押し部材とを相対的に移動させる移動機構と、を備えるものとした。【選択図】    図１
2006075918.tif 000002
【特許請求の範囲】
【請求項１】
ボトルを切断するボトル切断装置であって、
ボトルを切断可能な鋭利な刃先を持った刃物を有する切断機構と、
ボトルを前記刃先に向かって押すことのできる面である第一押し面を持つ第一押し部材と、
ボトルを前記第一押し面に向かって押すことのできる面である第二押し面を持つ第二押し部材と、
前記第一押し面と前記第二押し面とを間にボトルを収納可能な収納空間を挟んで対面させて前記第一押し部材と前記第二押し部材とを相対的に移動自在に支持する支持機構と、
前記第一押し面を前記刃先に接近させるときに前記刃先を前記収納空間に突き出させ前記第一押し面を前記刃先から離間させるときに前記刃先を収納空間から引き込ませる様に前記切断機構と前記第一押し部材と前記第二押し部材とを相対的に移動させる移動機構と、
を備えることを特徴とするボトル切断装置。
【請求項２】
前記移動機構が、前記第一押し面を前記刃先に対して接近と離間とをさせる様に前記第一押し部材を往復させる往復移動機構と、前記第二押し面から前記第一押し面へ向かう方向に沿って前記第二押し部材を所望の押し付け力で付勢する第二付勢機構と、を有する、
ことを特徴とする請求項１に記載のボトル切断装置。
【請求項３】
前記往復移動機構が、前記第一押し部材を前記刃先に向かって押すカムと前記第一押し部材を前記刃先から離間する方向に付勢する第一付勢機構と該カムを回転させるカム回転機構とを有し、
前記カムが回転すると、前記第一押し面が前記刃先に対して接近と離間とを繰り返す、
ことを特徴とする請求項２に記載のボトル切断装置。
【請求項４】
前記往復移動機構が、前記第一押し部材を前記刃先に向かって押す揺動レバーと前記第一押し部材を前記刃先から離間する方向に付勢する第一付勢機構と前記揺動レバーを揺動させる押し踏み式のリンク機構と、
を備え、
前記揺動レバーが揺動すると、前記第一押し面が前記刃先に対して接近と離間とを繰り返す、
ことを特徴とする請求項２に記載のボトル切断装置。
【請求項５】
前記第二押し面が前記刃先に貫通される第二スリットを設けられ、
前記移動機構が前記第一押し面を前記刃先に接近させるときに前記刃先を前記第二スリットに貫通させて前記収納空間に突き出させる、
ことを特徴とする請求項１に記載のボトル切断装置。
【請求項６】
前記第一押し面が前記刃先に貫通される第一スリットを設けられ、
前記第二押し面が前記刃先に貫通される第二スリットを設けられ、
前記移動機構が前記第一押し面を前記刃先に接近させるときに前記刃先を前記第二スリットに貫通させて前記収納空間に突き出させた後で前記収納空間を通過させて前記第一スリットに貫通させる、
ことを特徴とする請求項１に記載のボトル切断装置。
【請求項７】
前記切断機構が中央部が尖って周辺部が線状に延びた刃先を持った刃物と該中央部を前記第一押し面に向け前記刃先を前記収納空間に収納されたボトルの長手方向に交差する向きに沿わす様に前記刃物を保持する刃物保持機構とを有する、
ことを特徴とする請求項１に記載のボトル切断装置。
【請求項８】
前記切断機構が外周に刃先を持った円板状の刃物と前記刃先を前記収納空間に収納されたボトルの長手方向に交差する向きに沿わす様に該刃物を回転させる刃物回転機構とを有する、
ことを特徴とする請求項１に記載のボトル切断装置。
【請求項９】
面を上方に向けた姿勢になると収納空間に収納されたボトルを下側から支えることをできる支持面を持ち該支持面を上方に向けた姿勢と該支持面を横に向けた姿勢との間で揺動自在になったボトル支持機構を、
備え、
前記第一押し面が前記刃先から離間すると前記ボトル支持機構が前記第一押し部材に押されて支持面を上方に向け、前記第一押し面が前記刃先に接近すると前記ボトル支持機構が第一押し部材から開放され支持面を横に向ける、
ことを特徴とする請求項１に記載のボトル切断装置。
【請求項１０】
前記収納空間の上部に位置し上方に拡がりボトルを上下に案内できる１対の案内面を持つボトル案内機構を、
備え、
前記収納空間が１個だけのボトルを収納できる空間である、
ことを特徴とする請求項１に記載のボトル切断装置。
【発明の詳細な説明】
【技術分野】
【０００１】
本発明は、ボトルを切断するボトル切断装置に係る。特に、ボトルを複数の切断片に分けるのに用いることのできるボトル切断装置に関する。
【背景技術】
【０００２】
近年、資源の有効利用やごみの減容のために、使用済みのペットボトル等のボトルを資源リサイクルすることが提案されている。
例えば、使用済みのペットボトルを回収し、ペットボトルの胴体に巻かれた巻装ラベルと飲み口に残ったキャップの一部を除去し、ペットボトルを所定の大きさの破砕片にする。
破砕片は、リサイクル処理工程で種々の処理を施されて、資源リサイクルされる。
ペットボトルを破砕片にするためには、ペットボトルを所定の多きさの切断片にした後で、切断片を破砕装置に投入して破砕片にする。
また、回収したペットボトルを回収して運搬する際に、ペットボトルを切断すると減容することができ、効率的に運搬ができる。
ところで、ペットボトルは所定の強度を確保され、かつ嵩密度のひくい樹脂製の容器であり、部分毎の強度にバラつきがある。例えば、飲み口部は極めて強固であり、肩部と底部も飲み口の次に強度がある。腹部は、肩部と底部と一体である際には強度が高いが、切断するとフィルム状になり強度が極端に低下する。
このような特性をもつので、効率よくかつ簡便に、ボトルを切断する装置が望まれている。
発明者は、プレスの構造を有するボトル切断装置を開示した。このボトル切断装置を用いると、効率良くボトルを所望の切断片に切断することができる。発明者らは、さらに研究を継続して、より簡易な構造で効率良くボトルを所望の切断片に切断することができ装置を模索していた。
【０００３】
【特許文献１】特開２００１−３００８９６号
【特許文献２】特開２００２−２１６９２号
【発明の開示】
【発明が解決しようとする課題】
【０００４】
本発明は以上に述べた問題点に鑑み案出されたもので、より簡易な構成で効率よくかつ簡便にボトルを切断するボトル切断装置を提供しようとする。
【課題を解決するための手段】
【０００５】
上記目的を達成するため、本発明に係るボトルを切断するボトル切断装置を、ボトルを切断可能な鋭利な刃先を持った刃物を有する切断機構と、ボトルを前記刃先に向かって押すことのできる面である第一押し面を持つ第一押し部材と、ボトルを前記第一押し面に向かって押すことのできる面である第二押し面を持つ第二押し部材と、前記第一押し面と前記第二押し面とを間にボトルを収納可能な収納空間を挟んで対面させて前記第一押し部材と前記第二押し部材とを相対的に移動自在に支持する支持機構と、前記第一押し面を前記刃先に接近させるときに前記刃先を前記収納空間に突き出させ前記第一押し面を前記刃先から離間させるときに前記刃先を収納空間から引き込ませる様に前記切断機構と前記第一押し部材と前記第二押し部材とを相対的に移動させる移動機構と、を備えるものとした。
【０００６】
上記本発明の構成により、前記切断機構の刃物がボトルを切断可能な鋭利な刃先を持ち、前記第一押し部材がボトルを前記刃先に向かって押すことのできる第一押し面を持ち、前記第二押し部材がボトルを前記第一押し面に向かって押すことのできる第二押し面を持ち、前記支持機構が前記第一押し面と前記第二押し面とを間にボトルを収納可能な収納空間を挟んで対面させて前記第一押し部材と前記第二押し部材とを相対的に移動自在に支持し、前記移動機構が前記第一押し面を前記刃先に接近させるときに前記刃先を前記収納空間に突き出させ前記第一押し面を前記刃先から離間させるときに前記刃先を収納空間から引き込ませる様に前記切断機構と前記第二押し部材と前記第一押し部材とを相対的に移動させるので、ボトルを前記収納空間に収納し、前記第一押し面を前記刃先に接近させてから離間させると、前記刃先が前記収納空間に突き出てから引き込み、前記第一押し面と前記第二押し面とに挟まれたボトルを切断できる。
【０００７】
以下に、本発明のいくつかの実施形態を説明する。本発明は、以下に記載の実施形態のいずれか、またはそれらの中の二つ以上が組合わされた態様を含む。
【０００８】
さらに、本発明の実施形態に係るボトル切断装置は、前記移動機構が、前記第一押し面を前記刃先に対して接近と離間とをさせる様に前記第一押し部材を往復させる往復移動機構と、前記第二押し面から前記第一押し面へ向かう方向に沿って前記第二押し部材を所望の押し付け力で付勢する第二付勢機構と、を有する。
上記実施形態の構成により、往復移動機構が前記第一押し面を前記刃先に対して接近と離間とをさせる様に前記第一押し部材を往復させ、第二付勢機構が前記第二押し面から前記第一押し面へ向かう方向に沿って前記第二押し部材を所望の押付け力で付勢するので、
ボトルを前記収納空間に収納し、前記第一押し面を前記刃先に接近させると、所望の押し付け力で前記第一押し面と前記第二押し面とがボトルを挟み、前記刃先が前記収納空間に突き出てボトルを切断できる。
【０００９】
さらに、本発明の実施形態に係るボトル切断装置は、前記往復移動機構が、前記第一押し部材を前記刃先に向かって押すカムと前記第一押し部材を前記刃先から離間する方向に付勢する第一付勢機構と該カムを回転させるカム回転機構とを有し、前記カムが回転すると、前記第一押し面が前記刃先に対して接近と離間とを繰り返す。
上記実施形態の構成により、前記カムが前記第一押し部材を前記刃先に向かって押し、前記第一付勢機構が前記第一押し部材を前記刃先から離間する方向に付勢し、前記カム回転機構が該カムを回転すると、前記第一押し面が前記刃先に対して接近と離間とを繰り返すので、ボルトの切断を繰り返すことができる。
【００１０】
さらに、本発明の実施形態に係るボトル切断装置は、前記往復移動機構が、前記第一押し部材を前記刃先に向かって押す揺動レバーと前記第一押し部材を前記刃先から離間する方向に付勢する第一付勢機構と前記揺動レバーを揺動させる押し踏み式のリンク機構と、
を備え、前記揺動レバーが揺動すると、前記第一押し面が前記刃先に対して接近と離間とを繰り返す。
上記本発明の構成により、前記揺動レバーが前記第一押し部材を前記刃先に向かって押し、前記第一付勢機構が前記第一押し部材を前記刃先から離間する方向に付勢し、押し踏み式のリンク機構が前記揺動レバーを揺動させ、前記第一押し面が前記刃先に対して接近と離間とを繰り返すと、ボルトの切断を繰り返すことができる。
【００１１】
さらに、本発明の実施形態に係るボトル切断装置は、前記第二押し面が前記刃先に貫通される第二スリットを設けられ、前記移動機構が前記第一押し面を前記刃先に接近させるときに前記刃先を前記第二スリットに貫通させて前記収納空間に突き出させる。
上記本発明の構成により、前記移動機構が前記第一押し面を前記刃先に接近させるときに前記刃先を前記第二押し面に設けられた前記第二スリットに貫通させて前記収納空間に突き出させるので、収納空間に収納されたボトルを効率よく切断できる。
【００１２】
さらに、本発明の実施形態に係るボトル切断装置は、前記第一押し面が前記刃先に貫通される第一スリットを設けられ、前記第二押し面が前記刃先に貫通される第二スリットを設けられ、前記移動機構が前記第一押し面を前記刃先に接近させるときに前記刃先を前記第二スリットに貫通させて前記収納空間に突き出させた後で前記収納空間を通過させて前記第一スリットに貫通させる。
上記本発明の構成により、前記移動機構が前記第一押し面を前記刃先に接近させるときに前記刃先を前記第二押し面に設けられた前記第二スリットに貫通させて前記収納空間に突き出させた後で前記収納空間を通過させて前記第一押し面に設けられた前記第一スリットに貫通させるので、収納空間に収納されたボトルを効率よく切断できる。
【００１３】
さらに、本発明の実施形態に係るボトル切断装置は、前記切断機構が中央部が尖って周辺部が線状に延びた刃先を持った刃物と該中央部を前記第一押し面に向け前記刃先を前記収納空間に収納されたボトルの長手方向に交差する向きに沿わす様に前記刃物を保持する刃物保持機構とを有する。
上記本発明の構成により、前記刃物が中央部が尖って周辺部が線状に延びた刃先を持ち、該中央部が前記押し面に向き、前記刃先が前記収納空間に収納されたボトルの長手方向に交差する向きに沿うので、前記第一押し面が前記収納空間に収納されたボトルを押して前記刃先に接近するに従い、刃先の中央部がボルトに突き刺さり、刃先の周辺部がボトルを長手方向に交差して切断できる。
【００１４】
さらに、本発明の実施形態に係るボトル切断装置は、前記切断機構が外周に刃先を持った円板状の刃物と前記刃先を前記収納空間に収納されたボトルの長手方向に交差する向きに沿わす様に該刃物を回転させる刃物回転機構とを有する。
上記本発明の構成により、前記刃物の外周に付いた刃先が前記収納空間に収納されたボトルの長手方向に交差する向きに沿い、前記刃物が回転するので、第一押し面が収納空間に収納されたボトルを押して前記刃先に接近するに従い、回転する刃物の刃先がボトルを長手方向に交差して切断できる。
【００１５】
さらに、本発明の実施形態に係るボトル切断装置は、面を上方に向けた姿勢になると収納空間に収納されたボトルを下側から支えることをできる支持面を持ち該支持面を上方に向けた姿勢と該支持面を横に向けた姿勢との間で揺動自在になったボトル支持機構を、備え、前記第一押し面が前記刃先から離間すると前記ボトル支持機構が前記第一押し部材に押されて支持面を上方に向け、前記第一押し面が前記刃先に接近すると前記ボトル支持機構が第一押し部材から開放され支持面を横に向ける。
上記本発明の構成により、ボトル支持機構が該支持面を上方に向けた姿勢と該支持面を横に向けた姿勢との間で揺動自在になり、前記第一押し面が前記刃先から離間すると前記第一押し部材に押されて支持面を上方に向けてボトルを支持でき、前記第一押し面が前記刃先に接近すると第一押し部材から開放され、支持面が横に向いて、切断されたボトルの切断片が下方に落下する。
【００１６】
さらに、本発明の実施形態に係るボトル切断装置は、前記収納空間の上部に位置し上方に拡がりボトルを上下に案内できる１対の案内面を持つ案内機構を、備え、前記収納空間が１個だけのボトルを収納できる空間である。
上記本発明の構成により、前記収納空間の上部に位置した１対の案内面が上方に拡がりボトルを上下に案内でき、前記収納空間が１個だけのボトルを収納できる空間であるので、収納空間に収納されたボトルを除くと、新たなボトルを上部から前記収納空間に案内できる。
【発明の効果】
【００１７】
以上説明したように本発明に係るボトルを切断するボトル切断装置は、その構成により、以下の効果を有する。
ボトルを第一押し面と第二押し面の間の収納空間に収納し、ボトルを切断できる刃先を第一押し面と刃先の相対移動に従って収納空間に突き出し、または引き込ませる様にしたので、ボトルを前記収納空間に収納し、前記第一押し面を前記刃先に接近させてから離間させると、前記刃先が前記収納空間に突き出てから引き込み、前記第一押し面と前記第二押し面とに挟まれたボトルを切断できる。
また、第二押し面を所望の力で第一押し面の側へ押し付け、第一押し面と刃先とを相対移動する様にしたので、ボトルを前記収納空間に収納し、前記第一押し面を前記刃先に接近させると、所望の押し付け力で前記第一押し面と前記第二押し面とがボトルを挟み、前記刃先が前記収納空間に突き出てボトルを切断できる。
また、カムで第一押し部材を刃先の側へ押し、第一付勢機構が第一押し部材を反対側へ付勢し、カムを回転させるので、前記第一押し面が前記刃先に対して接近と離間とを繰り返して、ボルトの切断を繰り返すことができる。
また、揺動レバーで第一押し部材を刃先の側へ押し、第一付勢機構が第一押し部材を反対側へ付勢し、揺動レバーを足踏み式のリンク機構で揺動させるので、足踏みにより前記第一押し面が前記刃先に対して接近と離間とを繰り返して、ボルトの切断を繰り返すことができる。
また、第二スリットを前記第二押し面に設け、前記移動機構が前記第一押し面を前記刃先に接近させるときに前記刃先を前記第二スリットに貫通させて前記収納空間に突き出させる様にしたので、収納空間に収納されたボトルを効率よく切断できる。
また、第一スリットと第二スリットとを第一押し面と第二押し面とに設け、前記移動機構が前記第一押し面を前記刃先に接近させるときに前記刃先を前記第二スリットに貫通させて前記収納空間に突き出させた後で前記収納空間を通過させて前記第一スリットに貫通させるので、収納空間に収納されたボトルを効率よく切断できる。
また、中央部が尖って周辺部が線状に延びた刃先を第一押し面に向けて固定し、刃先をボトルの長手方向に交差する様にしたので、前記第一押し面が前記収納空間に収納されたボトルを押して前記刃先に接近するに従い、刃先の中央部がボルトに突き刺さり、刃先の周辺部がボトルを長手方向に交差して切断できる。
また、外周に付いた刃先を第一押し面に向けて刃物を回転させ、刃先がボトルの長手方向に交差する様にしたので、第一押し面が収納空間に収納されたボトルを押して前記刃先に接近するに従い、回転する刃物の刃先がボトルを長手方向に交差して切断できる。
また、収納空間に収納されたボトルを下方から支持する支持構造を設け、前記第一押し部材の往復動に連動して支持構造を揺動させる様にしたので、前記第一押し面が前記刃先から離間すると前記第一押し部材に押されて、支持面が上方に向いてボトルを支持し、前記第一押し面が前記刃先に接近すると第一押し部材から開放され支持面を横に向けるので、切断されたボトルの切断片が下方に落下する。
また、上に拡がった１対の案内面を収納空間の上に設け、前記収納空間が１個だけのボトルを収納できる空間である様にしたので、収納空間に収納されたボトルを除くと、新たなボトルを上部から前記収納空間に案内できる。
従って、より簡易な構成で効率よくかつ簡便にボトルを切断する装置ボトル切断装置を提供できる。
【発明を実施するための最良の形態】
【００１８】
以下、本発明を実施するための最良の形態を、図面を参照して説明する。なお、各図において、共通する部分には同一の符号を付し、重複した説明を省略する。
【００１９】
最初に、本発明の第一の実施形態に係るボトルを切断するボトル切断装置１０を、図を基に、説明する。
図１は、本発明の第一の実施形態に係るボトル切断装置の斜視図である。図２は、本発明の第一の実施形態に係るボトル切断装置の側面断面図である。図３は、本発明の第一の実施形態に係るボトル切断装置の平面断面図である。図４は、本発明の実施形態に係るカムの形状図である。
【００２０】
ボトル切断装置１０は、ボトルを切断する装置であって、切断機構２０と第一押し部材３０と第二押し部材４０と支持機構５０と移動機構６０、７０とボトル支持機構８０とボトル案内機構９０とで構成される。
例えば、ボトルは樹脂製容器である。例えば、樹脂製容器はペットボトルである。
【００２１】
切断機構２０は、ボトルを切断可能な鋭利な刃先Ｃを持った刃物を有する機構であり、複数の刃物２１と刃物回転機構２２とで構成される。
例えば、ボトル切断装置１０は、ボトルＢを長手方向に交差する切断面で切断する。
刃物２１は、外周に刃先を持った円板状の形状を持つ。
例えば、刃先が収納空間Ｈに収納されたボトルＢに向き、刃先がボトルの長手方向に交差し、５〜６枚の刃先がボトルＢの長手方向に沿って並んでいる。両端の刃物２１の刃先Ｃが、最も大きい寸法規格のボトルの肩部の位置と底部の位置に対応するのが好ましい。
刃物回転機構２２は、刃先Ｃを収納空間Ｈに収納されたボトルＢの長手方向に交差する向きに沿わす様に、刃物２１を回転させる機構である。例えば、刃物回転機構２２は、刃物軸２２ａと刃物プーリ２２ｂと駆動ベルト２２ｃとモータＭとで構成される。
刃物軸２２ａは、同心上に所定のピッチ間隔を隔てて複数の刃物２１を固定した軸体である。軸体の両側が、後述する支持機構５０に回転自在に固定される。刃物プーリ２２ｂは、刃物軸２２ａの端部に固定されたプーリである。駆動ベルト２２ｃは、モータＭの回転力を刃物プーリ２２ｂに伝達する機械要素である。モータＭは、例えば、電動機である。モータＭが回転すると、駆動ベルト２２ｃが刃物プーリ２２ｂを介して、刃物軸２２ａを回転させる。
【００２２】
第一押し部材３０は、ボトルを刃先Ｃに向かって押すことのできる面（以下、第一押し面Ｐ１と呼称する。）を持つ部材であり、第一押し部材前部３１と第一押し部材後部３２とで構成される。
第一押し部材前部３１は、一方の面が第一押し面Ｐ１を形成する平板状の板部材である。第一押し部材前部３１は、第一押し面Ｐ１に複数のスリット（以下、第一スリットＳ１と呼称する。）が設けられる。第一スリットＳ１の長手方向が、上下方向に沿っている。第一スリットＳ１の横幅の寸法は、刃物２１の幅の寸法より僅かに大きい。複数の第一スリットＳ１は、刃物軸２２ａに固定された刃物２１の所定のピッチ間隔と同寸法のピッチ間隔を隔てて水平方向に並ぶ。
第一押し部材後部３２は、上下方向に沿って屈曲した板部材である。例えば、板部材は、上下方向に沿って所定の曲率で屈曲する。第一押し部材後部３２の上端が、第一押し部材前部３１の上部に固定される。第一押し部材後部３２の下端が、第一押し部材前部３１の下部に固定される。
【００２３】
第二押し部材４０は、ボトルを第一押し面Ｐ１に向かって押すことのできる面（以下、第二押し面Ｐ２と呼称する。）を持つ部材であり、平板状の板部材で構成される。
第二押し部材４０は、第二押し面Ｐ２に複数のスリット（以下、第二スリットＳ２と呼称する。）が設けられる。第二スリットＳ２の長手方向が、上下方向に沿っている。第二スリットＳ２の横幅の寸法は、刃物２１の幅の寸法より僅かに大きい。複数の第二スリットＳ２は、刃物軸２２ａに固定された刃物２１の所定のピッチ間隔と同寸法のピッチ間隔を隔てて水平後方に沿って並ぶ。
【００２４】
支持機構５０は、第一押し面Ｐ１と第二押し面Ｐ２とを間にボトルＢを収納可能な収納空間Ｈを挟んで対面させて、第一押し部材３０と第二押し部材４０とを相対的に移動自在に支持する機構である。
例えば、支持機構５０は、第一押し面Ｐ１と第二押し面Ｐ２とが平行になるように、第一押し部材３０と第二押し部材４０とを支持する。
例えば、ボトルＢは、長手方向を水平にして、収納空間Ｈに収納される。ボトルＢは、側面の一方を第一押し面Ｐ１に向け、側面の他方を第二押し面Ｐ２とに向ける。
例えば、支持機構５０は、フレーム５１と2本のリニアガイドレール５２と４個のリニアガイドブロック５３とで構成される。
フレーム５１は、支持機構５０の主構造体である。フレーム５１は、ボトル切断装置の主構造体を兼ねることができる。
リニアガイドレール５２は、リニアガイドブロック５３を長手方向に摺動自在に保持する機械要素である。リニアガイドレール５２は、長手方向を第一押し面Ｐ１と第二押し面Ｐ２とに直交する向きに沿って延びる。
リニアガイドレール５２の両端は、フレーム５１に固定される。
リニアガイドブロック５３は、リニアガイドレール５３に保持され、長手方向に摺動する機械要素である。
２個のリニアガイドブロック５３が、第一押し部材３０に固定される。従って、第一押し部材３０は、リニアガイドレール５２に長手方向に移動自在に保持される。
２個のリニアガイドブロック５３は、第二押し部材４０に固定される。従って、第二押し部材４０は、リニアガイドレール５２に長手方向に移動自在に保持される。
【００２５】
移動機構６０、７０は、第一押し面Ｐ１が刃先Ｃに接近したときに刃先Ｃを収納空間Ｈに突き出させ、第一押し面Ｐ１が刃先Ｃから離間したときに刃先Ｃを収納空間Ｈから引き込ませる様に、切断機構２０と第一押し部材３０と第二押し部材４０とを相対的に移動させる機構である。
移動機構６０、７０が、第一押し面Ｐ１を刃先Ｃに接近させたときに、刃先Ｃを第二スリットＳ２に貫通させて収納空間Ｈに突き出させるのが好ましい。
また特に、移動機構６０，７０が第一押し面Ｐ１を刃先Ｃに接近させたときに、刃先Ｃを第二スリットＳ２に貫通させて収納空間Ｈに突き出させた後で収納空間Ｈを通過させて第一スリットＳ１に貫通させるのが好ましい。
例えば、移動機構６０、７０は、往復移動機構６０と第二付勢機構７０とで構成される。
【００２６】
往復移動機構６０は、第一押し面Ｐ１を刃先Ｃに対して接近と離間とをさせる様に第一押し部材３０を往復させる機構である。
例えば、往復移動機構６０は、カム６１と第一付勢機構６２とカム回転機構６３とで構成される。
カム６１は、回転して従動節に相当する第一押し部材３０を直線運動させる板カムである。板カムのカム面の形状を選択することで、カムを１回転させた時の第一押し部材３０の往復回数を決定できる。
図４（Ａ）に示すカム６１ａを用いれば、カムを１回転するときに第一押し部材３０を２往復させることができる。図４（Ｂ）に示すカム６１ｂを用いれば、カムを１回転するときに第一押し部材３０を１往復させることができる。図４（Ｃ）に示すカム６１ｃを用いれば、カムを１回転するときに第一押し部材３０を４往復させることができる。図４（Ｄ）に示すカム６１ｄを用いれば、カムを１回転するときに第一押し部材３０を３往復させることができる。
【００２７】
第一付勢機構６２は、第一押し部材３０を刃先Ｃから離間する方向に付勢する機構である。
例えば、第一付勢機構６２は、弾性体（第一弾性体と呼称する。）である。例えば、弾性体は、引っ張りばねであり、第一押し部材３０を刃先Ｃから離れる方向へ引っ張る。
引っ張りばねの一端が、第一押し部材３０の固定される。引っ張りばねの他端が、フレーム５１に固定される。引っ張りばねの引っ張り力が、常に、第一押し部材３０をカム６１に押し付ける。
【００２８】
カム回転機構６３は、カム６１を回転させる機構であり、カム軸６３ａとカム軸プーリ６３ｂと駆動ベルト６３ｃとモータＭとで構成される。
カム軸６３ａは、２個のカム６１の回転中心を貫通して固定された軸体である。カム軸６３ａの軸心は、収納空間Ｈに収納されたボトルの長手方向に平行である。カム軸６３ａの両端は、支持機構５０に回転自在に固定される。
カム軸プーリ６３ｂは、カム軸６３ａの端部に固定されたプーリである。
駆動ベルト６３ｃは、モータＭの回転力をカム軸プーリ６３ｂに伝達するベルトである。
モータＭが回転すると、駆動ベルト６３ｃに駆動されたカム軸駆動プーリ６３ｂがカム軸６３ａを回転する。回転するカム６１が、第一押し部材３０を押す。
第一付勢機構６２が第一押し部材３０を刃先Ｃから離間する方向に付勢するので、第一押し部材３０はカム６１のカム面の軌跡に従って、往復移動する。
【００２９】
第二付勢機構７０は、第二押し面Ｐ２から第一押し面Ｐ１へ向かう方向に沿って第二押し部材４０を所望の押し付け力で付勢する機構である。
例えば、第二付勢機構７０は、弾性体（第二弾性体７１と呼称する。）とストッパ７２とで構成される。第二弾性体７１は、例えば圧縮ばねであり、第二押し部材４０を収納空間Ｈの側へばね力で付勢する。圧縮ばねの一端が、第二押し部材４０に当たる。圧縮ばねの他端がフレーム５１に当る。
ストッパ７２は、第二押し部材４０が第一押し面Ｐ１の側へ移動するのを所定の位置で停止させる止め部材である。例えば、ストッパ７２は、第二スリットＳ２から刃先Ｃが僅かに引っ込んだ位置で、第二押し部材を停止させる。
第二押し部材４０がストッパ７２に当った状態で、第二弾性体７１が所定の予圧縮力で圧縮させれているのが好ましい。
【００３０】
ボトル支持機構８０は、面を上方に向けた姿勢になると収納空間に収納されたボトルを下側から支えることをできる支持面８１を持ち、支持面８１を上方に向けた姿勢と支持面８１を横に向けた姿勢との間で揺動自在になった機構である。
ボトル支持機構８０は、第一押し面Ｐ１が刃先Ｃから離間すると第一押し部材Ｐ１に押されて支持面８１を上方に向け、第一押し面Ｐ１が刃先Ｃに接近すると第一押し部材Ｐ１から開放され支持面を横に向ける。
従って、第一押し面Ｐ１が刃先Ｃから離間している際に、ボトルＢを収納空間Ｈに入れると、ボトルは支持面８１により支持される。第一押し面Ｐ１が刃先Ｃに接近してボルトＢが切断されると、切断片は、収納空間Ｈから重力で落ちる。
【００３１】
ボトル案内機構９０は、収納空間Ｈの上部に位置し上方に拡がりボトルを上下に案内できる１対の案内面９１を持つ機構である。案内面の一方または両方が傾斜している。
例えば、１個の案内面９１をもつ板部材が第一押し部材３０の上部に固定される。１個の案内面をもつ板部材が第二押し部材４０の上部に固定される。
収納空間Ｈを１個だけのボトルＢを収納できる空間にすると、第一押し部材３０の往復移動に従って、ボトルＢが収納空間からでると、新たなボトルＢが、ボトル案内機構９０に案内されて収納空間Ｈに入る。
【００３２】
次に、本発明の第二の実施形態に係るボトル切断装置１０を、図面を基に、説明する  
図５は、本発明の第二の実施形態に係るボトル切断装置の側面断面図である。
【００３３】
ボトル切断装置１０は、ボトルを切断する装置であって、切断機構２０と第一押し部材３０と第二押し部材４０と支持機構５０と往復移動機構６０と第二付勢機構７０とボトル支持機構８０とボトル案内機構９０とで構成される。
例えば、ボトルは樹脂製容器である。例えば、樹脂製容器はペットボトルである。
切断機構２０と第一押し部材３０と第二押し部材４０と支持機構５０と第二付勢機構７０とボトル支持機構８０とボトル案内機構９０の構造は、第一の実施形態に係るボトル切断装置のものの構造と同じなので、説明を省略し、異なる点のみを説明する。
【００３４】
往復移動機構６０は、第一付勢機構６２と揺動レバー６４とリンク機構６５とで構成される。
第一付勢機構６２の構造は、第一の実施形態に係るボトル切断装置のものの構造と同じなので、説明を省略する。
揺動レバー６４は、第一押し部材３０を刃先Ｃに向かって押して揺動可能に支持されたレバーである。揺動レバーの中間部が、フレーム５１に揺動自在に固定される。
リンク機構６５は、揺動レバーを揺動させる押し踏み式の機構であり、連結バー６５ａと足踏みレバー６５ｂとで構成される。
足踏みレバー６５ｂは、一端を回転自在に固定され、足踏みにより揺動運動をするレバーである。
連結バー６５ａは、足踏みレバー６５ｂと揺動レバー６４とを連結し、足踏みレバー６５ｂの揺動運動を揺動レバー６４に伝達する。連結バー６５ａの一端が、揺動レバー６４の下部に連結する。連結バー６５ａの他端が、足踏みレバー６５ｂに連結する。
足踏みレバー６５ｂを足踏みすると、揺動レバー６４が揺動して、第一押し部材３０を往復移動させる。
【００３５】
次に、本発明の第三の実施形態に係るボトル切断装置１０を説明する。
図６は、本発明の第三の実施形態に係るボトル切断装置の側面断面図である。
【００３６】
ボトル切断装置１０は、ボトルを切断する装置であって、切断機構２０と第一押し部材３０と第二押し部材４０と支持機構５０と往復移動機構６０と第二付勢機構７０とボトル支持機構８０とボトル案内機構９０とで構成される。
例えば、ボトルは樹脂製容器である。例えば、樹脂製容器はペットボトルである。
切断機構２０と第一押し部材３０と第二押し部材４０と支持機構５０と往復移動機構６０と第二付勢機構７０とボトル支持機構８０とボトル案内機構９０の個々の構成は、第一の実施形態に係るボトル切断装置のものの構造と同じである。
切断機構２０と第一押し部材３０と第二押し部材４０と支持機構５０と第二付勢機構７０とボトル支持機構８０とボトル案内機構９０とを一組とした構成が、往復移動機構６０の両側に配される点が、第一の実施形態に係るボトル切断装置と異なる。
往復移動機構６０を駆動すると、カム６１のカム面が、両側に配された第一押し部材３０を往復させて、ボトルを切断する。
【００３７】
次に、本発明の第四の実施形態に係るボトル切断装置１０を、図面を基に、説明する。
図７は、本発明の第四の実施形態に係るボトル切断装置の側面断面図である。
図８は、本発明の第四の実施形態に係るボトル切断装置の平面断面図である。
図９は、本発明の実施形態に係る刃物の形状図である。
【００３８】
ボトル切断装置１０は、ボトルを切断する装置であって、切断機構２０と第一押し部材３０と第二押し部材４０と支持機構５０と往復移動機構６０と第二付勢機構７０とボトル支持機構８０とボトル案内機構９０とで構成される。
例えば、ボトルは樹脂製容器である。例えば、樹脂製容器はペットボトルである。
第一押し部材３０と第二押し部材４０と支持機構５０と往復移動機構６０と第二付勢機構７０とボトル支持機構８０とボトル案内機構９０の構成は、第一の実施形態に係るボトル切断装置のものの構造と同じなので、説明を省略する。
【００３９】
切断機構２０は、ボトルを切断可能な鋭利な刃先を持った刃物を有する機構であって、複数の刃物２３と刃物保持機構２４とで構成される。
刃物２３は、中央部が尖って周辺部が線状に延びた刃先を持つ。
刃物保持機構２４は、中央部を第一押し面Ｐ１に向け、刃先を収納空間Ｈに収納されたボトルの長手方向に交差する向きに沿わす様に前記刃物を保持する機構である。
複数の刃物２３は、所定のピッチ間隔を隔てて刃物保持機構２４に保持する。
図９（Ａ）は、中央部の刃先Ｃ１が尖り、周辺部の刃先Ｃ２が凹状に湾曲した刃先Ｃを持つ刃物２３を示す。
図９（Ｂ）は、中央部の刃先Ｃ１が尖り、周辺部の刃先Ｃ２が凸状に湾曲した刃先Ｃを持つ刃物２３を示す。
図９（Ｃ）は、中央部の刃先Ｃ１が尖り、周辺部の刃先Ｃ２が直線上に傾いた刃先Ｃを持つ刃物２３を示す。
【００４０】
以下に、本発明の実施形態に係るボトル切断装置１０の作用を、図を基に、説明する。
第一の実施形態に係るボトル切断装置を例に、説明する。
図１０は、本発明の第一の実施形態に係るボトル切断装置の作用図である。
【００４１】
（ステップＡ）
カム６１のカム面が第一押し部材３０に当たり、第一押し部材３０が刃先Ｃから離れた位置にある。ボトル支持機構８０が、第一押し部材３０に当たり、支持面を上方に向けている。ボトルＢが、ボトル案内機構第一押し面Ｐ１と第二押し面Ｐ２とに挟まれた収納空間に入る。
【００４２】
（ステップＢ）
カム６１が回転すると、第一押し部材３０が刃先Ｃに接近する。ボトルがＢが第一押し面Ｐ１と第二押し面Ｐ２とに挟まれる。第一押し部材３０が、さらに刃先に接近すると、ボトルＢが第二付勢機構７０の付勢力により挟まれる。
刃物２１の刃先Ｃが、第二スリットを貫通し、収納空間Ｈに突き出て、ボトルＢを切断する。
【００４３】
（ステップＣ）
カム６１がさらに回転すると、第二付勢機構７０の付勢力が増大して、ボトルＢが潰れる。刃物の刃先が、収納空間Ｈを通過して第一スリットを貫通する。
ボトルＢが切断され、複数の切断片になる。
ボトル支持機構８０が、第一押し部材３０から自由になり、支持面を横に向ける。
【００４４】
（ステップＤ）
カム６１が、さらに回転し、第一押し部材３０が刃先から離れる。ボトルの切断片が落下して収納空間Ｈから出る。
【００４５】
（ステップＥ）
カム６１がさらに回転し、第一押し部材３０が刃先から離れる。ボトル支持機構８０が、第一押し部材３０の押されて、支持面を上に向ける。
第一押し部材３０が刃先Ｃから離れて、収納空間Ｈが拡がると、新たなボトルがボトル案内機構９０のに案内されて、収納空間に入る。
【００４６】
以下、（ステップＡ）から（ステップＥ）までを順次繰り返すと、ボトルＢが順次収納空間Ｈに入って切断され、切断片が収納空間Ｈの下部から落下する。
【００４７】
上述の実施形態のボトル切断装置を用いれば、以下の効果を発揮する。
第一押し部材３０の第一押し面Ｐ１と第二押し部材４０の第二押し面Ｐ２とが、横倒しにしたボトルＢを収納できる収納空間を挟む様にし、第一押し面Ｐ１と第二押し面Ｐ２とを近づけると、刃先が収納空間に突き出る様にしたので、ボトルを第一押し面Ｐ１と第二押し面Ｐ２とに挟んで、ボトルを効率良く切断できる。
また、刃先を横倒しにしたボトルの側面に向け、複数の刃物を長手方向に並べたので、ボトルを長手方向に細かく切断できる。
また、第二押し部材を圧縮ばねで第一押し面に向かって付勢し、第一押し面が第二押し面に向かって移動する様に第一押し部材を往復移動させたので、ボトルを第一押し面と第二押し面とで挟んで圧縮ばねの付勢力で押しつけることができ、ボトルを押さえつけた状態で切断できる。
また、第一押し部材を電動機で回転するカムにより往復移動させるので、高速でボトルを切断できる。
また、第一押し部材を足踏み式の運動により往復移動させるので、簡易にボトルを切断できる。
また、第一押し部材の往復移動を足踏み式にし、切断機構の刃物を固定式にすると、動力を使用せずに、ボトルを切断できる。
また、第二押し面に第二スリットを設け、刃先を第二スリットを貫通して収納空間Ｈに突き出す様にしたので、第一押し面と第二押し面とに挟んだボトルを効率よく切断できる。
また、第一押し面に第一スリットを設け、刃先を第二スリットを貫通して収納空間を通過した後で第一スリットを貫通する様にしたので、第一押し面と第二押し面との挟んだボトルを効率よく切断できる。
また、刃先が円周についた円形の刃物を回転して、ボトルを刃先で切断する様にしたので、第一押し部材を押す力が小さくても、ボトルを効率良く切断できる。
また、刃先が線状についた刃物を固定して、ボトルを刃先で切断する様にしたので、特別な動力を必要とせず、ボトルを切断できる。
また、刃先の中央部を尖らせて、周辺部を線状に延びた形状としたので、ボトルを切断する際に、中央部がボトルに突き刺さった後で、周辺部がボトルを切断するので、ボトルが動くことが無く、効率良く切断できる。
また、刃先の中央部を尖らせ、周辺部を凹状にカーブさせたので、ボトルを小さな力で切断できる。
また、刃先の中央部を尖らせ、周辺部を凸状にカーブさせたので、ボトルを小さな力で切断できる。
また、刃先の中央部を尖らせ、周辺部を直線状に傾けたので、ボトルを小さな力で切断できる。
また、ボトルを支持可能な支持面をもったボトル支持機構を設け、第一押し部材が刃先から離間したときに支持面を上方に向け、接近した時に支持面を横方に向ける様にしたので、第一押し部材の往復移動に連動して、ボトルを収納空間から落とすことができる。
また、収納空間の上部に上に末広がりの１対の案内面を設け、収納空間を1個だけのボトルが収納できる空間としたので、収納空間のボトルが下に落ちると、新たなボトルを収納空間に入れることができる。
【００４８】
本発明は以上に述べた実施形態に限られるものではなく、発明の要旨を逸脱しない範囲で各種の変更が可能である。
ペットボトルを切断することを前提に説明したがこれに限定されず、他の素材でできたボトルを切断してもよい。
また、刃物に設けられた刃先は、ナイフ状の平刃でもよいし、鋸状の鋸刃でもよい。
また、刃物を回転させる場合の回転数は、カムの回転数とほぼ同じ回転数でもよいし、カムの回転数よりも大きな回転数でもよい。
【図面の簡単な説明】
【００４９】
【図１】本発明の第一の実施形態に係るボトル切断装置の斜視図である。
【図２】本発明の第一の実施形態に係るボトル切断装置の側面断面図である。
【図３】本発明の第一の実施形態に係るボトル切断装置の平面断面図である。
【図４】本発明の実施形態に係るカムの形状図である。
【図５】本発明の第二の実施形態に係るボトル切断装置の側面断面図である。
【図６】本発明の第三の実施形態に係るボトル切断装置の側面断面図である。
【図７】本発明の第四の実施形態に係るボトル切断装置の側面断面図である。
【図８】本発明の第四の実施形態に係るボトル切断装置の平面断面図である。
【図９】本発明の実施形態に係る刃物の形状図である。
【図１０】本発明の第一の実施形態に係るボトル切断装置の作用図である。
【符号の説明】
【００５０】
Ｈ    収納空間
Ｓ１  第一スリット
Ｓ２  第二スリット
Ｐ１  第一押し面
Ｐ２  第二押し面
Ｃ    刃先
Ｃ１  刃先（中央部）
Ｃ２  刃先（周辺部）
Ｍ    モータ
１０    ボトル切断装置
２０    切断機構
２１    刃物
２２    刃物回転機構
２２ａ  刃物軸
２２ｂ  刃物プーリ
２２ｃ  駆動ベルト
２３    刃物
２４    刃物保持機構
３０    第一押し部材
３１    第一押し部材前部
３２    第一押し部材後部
４０    第二押し部材
５０    支持機構
５１    フレーム
５２    リニアガイドレール
５３    リニアガイドブロック
６０    往復移動機構
６１    カム
６２    第一付勢機構
６３    カム回転機構
６３ａ  カム軸
６３ｂ  カム軸プーリ
６３ｃ  駆動ベルト
６４    揺動レバー
６５    リンク機構
６５ａ  連結バー
６５ｂ  足踏みレバー
７０    第二付勢機構
７１    第二弾性体
７２    ストッパ
８０    ボトル支持機構
８１    支持面
９０    ボトル案内機構
９１    案内面
【図１】
2006075918.tif 000003
【図２】
2006075918.tif 000004
【図３】
2006075918.tif 000005
【図４】
2006075918.tif 000006
【図５】
2006075918.tif 000007
【図６】
2006075918.tif 000008
【図７】
2006075918.tif 000009
【図８】
2006075918.tif 000010
【図９】
2006075918.tif 000011
【図１０】
2006075918.tif 000012